(57)【要約】【課題】  従来は、通常運用時の伝送遅延、切替時の遅延揺らぎやパケットの順序逆転、伝送帯域の占有などの問題があった。【解決手段】  本発明は、少なくとも２つの経路を有するパケット伝送システムにおいて、送信側の伝送装置は、シーケンシャル番号付与部と、パケットをコピーして現用ルートと予備ルートとに分岐するコピー分岐部とを有し、受信側の伝送装置は、現用ルートと予備ルートの同番号のパケットで遅延量を測定する遅延測定部と、早着側の経路に遅延を挿入する遅延挿入部と、現用ルートまたは予備ルートのいずれか一方に切り替えるフレーム選択部とを有し、外部からの切替指示があった場合は、コピー分岐部はパケットを現用ルートと予備ルートの両方に出力し、遅延挿入部は、遅延測定部が測定した遅延量分の遅延を早着側に挿入し、フレーム選択部は、現用ルートから予備ルートに切り替えることを特徴とする。【選択図】図３
2013005210.tif 000002
【特許請求の範囲】
【請求項１】
送信側の伝送装置と受信側の伝送装置との間に現用ルートと予備ルートの少なくとも２つの経路を有するパケット伝送システムにおいて、
前記送信側の伝送装置は、
送信するパケット順に番号を付与するシーケンシャル番号付与部と、
前記番号が付与されたパケットをコピーして前記現用ルートと前記予備ルートとに分岐するコピー分岐部と
を有し、
前記受信側の伝送装置は、
前記現用ルートから受信するパケットと前記予備ルートから受信するパケットの同番号のパケット間で遅延量を測定する遅延測定部と、
前記現用ルートから受信するパケットまたは前記予備ルートから受信するパケットの早着側の経路に前記遅延測定部が測定した遅延量分の遅延を挿入する遅延挿入部と、
前記現用ルートまたは前記予備ルートのいずれか一方のパケットに切り替えて出力するフレーム選択部と
を有し、
外部からの切替指示があった場合は、
前記コピー分岐部は前記番号が付与されたパケットをコピーして前記現用ルートと前記予備ルートの両方に出力し、
前記遅延挿入部は、前記遅延測定部が測定した遅延量分の遅延を前記現用ルートから受信するパケットまたは前記予備ルートから受信するパケットの早着側の経路に挿入し、
前記フレーム選択部は、前記現用ルートから前記予備ルートに切り替えてパケットを出力する
ことを特徴とするパケット伝送システム。
【請求項２】
請求項１に記載のパケット伝送システムにおいて、
外部からの切替指示がない場合は、
前記コピー分岐部は前記番号が付与されたパケットを前記現用ルートまたは前記予備ルートのいずれか一方に出力し、
前記遅延挿入部は、前記現用ルートまたは前記予備ルートに挿入する遅延を零にする
ことを特徴とするパケット伝送システム。
【請求項３】
請求項１または２に記載のパケット伝送システムにおいて、
前記遅延挿入部は、前記現用ルートに前記遅延測定部が測定した遅延量分の遅延を挿入する時或いは前記切替後に前記予備ルートに挿入された前記遅延を零にする時に段階的に遅延量を変化させる
ことを特徴とするパケット伝送システム。
【請求項４】
現用ルートと予備ルートの少なくとも２つの経路を有するパケット伝送システムに用いられる伝送装置において、
送信するパケット順に番号を付与するシーケンシャル番号付与部と、
前記番号が付与されたパケットをコピーして前記現用ルートと前記予備ルートとに分岐するコピー分岐部と
を有する送信部と、
前記現用ルートから受信するパケットと前記予備ルートから受信するパケットの同番号のパケット間で遅延量を測定する遅延測定部と、
前記現用ルートから受信するパケットまたは前記予備ルートから受信するパケットの早着側の経路に前記遅延測定部が測定した遅延量分の遅延を挿入する遅延挿入部と、
前記現用ルートまたは前記予備ルートのいずれか一方のパケットに切り替えて出力するフレーム選択部と
を有する受信部と
を備え、
外部からの切替指示があった場合は、
前記コピー分岐部は前記番号が付与されたパケットをコピーして前記現用ルートと前記予備ルートの両方に出力し、
前記遅延挿入部は、前記遅延測定部が測定した遅延量分の遅延を前記現用ルートから受信するパケットまたは前記予備ルートから受信するパケットの早着側の経路に挿入し、
前記フレーム選択部は、前記現用ルートから前記予備ルートに切り替えてパケットを出力する
ことを特徴とする伝送装置。
【請求項５】
請求項４に記載の伝送装置において、
外部からの切替指示がない場合は、
前記コピー分岐部は前記番号が付与されたパケットを前記現用ルートまたは前記予備ルートのいずれか一方に出力し、
前記遅延挿入部は、前記現用ルートまたは前記予備ルートに挿入する遅延を零にする
ことを特徴とする伝送装置。
【請求項６】
請求項４または５に記載の伝送装置において、
前記遅延挿入部は、前記現用ルートに前記遅延測定部が測定した遅延量分の遅延を挿入する時或いは前記切替後に前記予備ルートに挿入された前記遅延を零にする時に段階的に遅延量を変化させる
ことを特徴とする伝送装置。
【請求項７】
送信側の伝送装置と受信側の伝送装置との間に現用ルートと予備ルートの少なくとも２つの経路を有するパケット伝送システムで用いられる無瞬断切替方法において、
外部からの切替指示があった場合は、
前記送信側の伝送装置では、送信するパケット順に番号を付与し、前記番号が付与されたパケットをコピーして前記現用ルートと前記予備ルートとに分岐して送信し、
前記受信側の伝送装置では、前記現用ルートから受信するパケットと前記予備ルートから受信するパケットの同番号のパケット間で遅延量を測定し、前記現用ルートまたは前記予備ルートのいずれかのパケットの早着側のルートに前記遅延量分の遅延を挿入し、前記現用ルートから前記予備ルートに切り替えてパケットを出力する
ことを特徴とする無瞬断切替方法。
【請求項８】
請求項７に記載の無瞬断切替方法において、
外部からの切替指示がない場合は、
前記送信側の伝送装置では、前記番号が付与されたパケットを前記現用ルートまたは前記予備ルートのいずれか一方に出力し、
前記受信側の伝送装置では、前記現用ルートまたは前記予備ルートに挿入する遅延を零にする
ことを特徴とする無瞬断切替方法。
【請求項９】
請求項７または８に記載の無瞬断切替方法において、
前記受信側の伝送装置では、前記現用ルートに前記測定した遅延量分の遅延を挿入する時或いは前記切替後に前記予備ルートに挿入された前記遅延を零にする時に段階的に遅延量を変化させる
ことを特徴とする無瞬断切替方法。
【発明の詳細な説明】
【技術分野】
【０００１】
本発明は、パケット伝送システムにおける冗長系の無瞬断切替技術に関する。
【背景技術】
【０００２】
従来、同期回線において無瞬断で冗長系に切り替える技術が用いられていたが、近年のパケット伝送の普及により、非同期通信のパケット伝送においても無瞬断で冗長系に切り替える技術が求められている。冗長系に無瞬断で切り替えるためには、現用ルートと予備ルートの両方のルートで伝送されるパケットの位相を合わせる必要があり、早着系に遅延を挿入する方法が行われていた（例えば特許文献１参照）。
【先行技術文献】
【特許文献】
【０００３】
【特許文献１】特開平０６−２３２８９２号公報
【発明の概要】
【発明が解決しようとする課題】
【０００４】
ところが、無瞬断で切り替えるために現用ルートまたは予備ルートに常に遅延を挿入しておかなければならず、通常運用時の伝送遅延が増大するという問題があった。
【０００５】
一方、パケット伝送における故障時の無瞬断切替技術では、送信側で両方のルートに同一パケットを送信し、受信側で先着したパケットを選択する、という先着優先方式が知られている。この先着優先方式の場合、ルート切り替え時にクライアント側に出力するパケット間隔が挿入される遅延分だけ空いたり、逆にバースト的に連続してしまうなどの遅延揺らぎが発生する。さらに、先着優先方式の場合、ルート切り替え時にパケットの順序が逆転する場合があり、上位層の通信プロトコルによってはパケットのエラーや廃棄或いはパケット再送処理などが発生し、無瞬断で切り替えを行う意味が無くなってしまうという問題があった。また、無瞬断切替を行うために常時、両方のルートにパケットを流しておくため、選択していない予備ルートの伝送帯域を常に占有してしまい帯域の使用効率が悪くなるという問題もあった。
【０００６】
上記課題に鑑み、本発明の目的は、通常運用時の伝送遅延が少なく、遅延揺らぎやパケットの順序逆転を防止し、予備ルートの伝送帯域を占有しない、パケット伝送システムおよびパケット伝送装置並びに無瞬断切替方法を提供することである。
【課題を解決するための手段】
【０００７】
本発明に係るパケット伝送システムは、送信側の伝送装置と受信側の伝送装置との間に現用ルートと予備ルートの少なくとも２つの経路を有するパケット伝送システムにおいて、前記送信側の伝送装置は、送信するパケット順に番号を付与するシーケンシャル番号付与部と、前記番号が付与されたパケットをコピーして前記現用ルートと前記予備ルートとに分岐するコピー分岐部とを有し、前記受信側の伝送装置は、前記現用ルートから受信するパケットと前記予備ルートから受信するパケットの同番号のパケット間で遅延量を測定する遅延測定部と、前記現用ルートから受信するパケットまたは前記予備ルートから受信するパケットの早着側の経路に前記遅延測定部が測定した遅延量分の遅延を挿入する遅延挿入部と、前記現用ルートまたは前記予備ルートのいずれか一方のパケットに切り替えて出力するフレーム選択部とを有し、外部からの切替指示があった場合は、前記コピー分岐部は前記番号が付与されたパケットをコピーして前記現用ルートと前記予備ルートの両方に出力し、前記遅延挿入部は、前記遅延測定部が測定した遅延量分の遅延を前記現用ルートから受信するパケットまたは前記予備ルートから受信するパケットの早着側の経路に挿入し、前記フレーム選択部は、前記現用ルートから前記予備ルートに切り替えてパケットを出力することを特徴とする。
【０００８】
特に、外部からの切替指示がない場合は、前記コピー分岐部は前記番号が付与されたパケットを前記現用ルートまたは前記予備ルートのいずれか一方に出力し、前記遅延挿入部は、前記現用ルートまたは前記予備ルートに挿入する遅延を零にすることを特徴とする。
【０００９】
また、前記遅延挿入部は、前記現用ルートに前記遅延測定部が測定した遅延量分の遅延を挿入する時或いは前記切替後に前記予備ルートに挿入された前記遅延を零にする時に段階的に遅延量を変化させることを特徴とする。
【００１０】
本発明に係る伝送装置は、現用ルートと予備ルートの少なくとも２つの経路を有するパケット伝送システムに用いられる伝送装置において、送信するパケット順に番号を付与するシーケンシャル番号付与部と、前記番号が付与されたパケットをコピーして前記現用ルートと前記予備ルートとに分岐するコピー分岐部とを有する送信部と、前記現用ルートから受信するパケットと前記予備ルートから受信するパケットの同番号のパケット間で遅延量を測定する遅延測定部と、前記現用ルートから受信するパケットまたは前記予備ルートから受信するパケットの早着側の経路に前記遅延測定部が測定した遅延量分の遅延を挿入する遅延挿入部と、前記現用ルートまたは前記予備ルートのいずれか一方のパケットに切り替えて出力するフレーム選択部とを有する受信部とを備え、外部からの切替指示があった場合は、前記コピー分岐部は前記番号が付与されたパケットをコピーして前記現用ルートと前記予備ルートの両方に出力し、前記遅延挿入部は、前記遅延測定部が測定した遅延量分の遅延を前記現用ルートから受信するパケットまたは前記予備ルートから受信するパケットの早着側の経路に挿入し、前記フレーム選択部は、前記現用ルートから前記予備ルートに切り替えてパケットを出力することを特徴とする。
【００１１】
特に、外部からの切替指示がない場合は、前記コピー分岐部は前記番号が付与されたパケットを前記現用ルートまたは前記予備ルートのいずれか一方に出力し、前記遅延挿入部は、前記現用ルートまたは前記予備ルートに挿入する遅延を零にすることを特徴とする。
【００１２】
また、前記遅延挿入部は、前記現用ルートに前記遅延測定部が測定した遅延量分の遅延を挿入する時或いは前記切替後に前記予備ルートに挿入された前記遅延を零にする時に段階的に遅延量を変化させることを特徴とする。
【００１３】
本発明に係る無瞬断切替方法は、送信側の伝送装置と受信側の伝送装置との間に現用ルートと予備ルートの少なくとも２つの経路を有するパケット伝送システムで用いられる無瞬断切替方法において、外部からの切替指示があった場合は、前記送信側の伝送装置では、送信するパケット順に番号を付与し、前記番号が付与されたパケットをコピーして前記現用ルートと前記予備ルートとに分岐して送信し、前記受信側の伝送装置では、前記現用ルートから受信するパケットと前記予備ルートから受信するパケットの同番号のパケット間で遅延量を測定し、前記現用ルートまたは前記予備ルートのいずれかのパケットの早着側のルートに前記遅延量分の遅延を挿入し、前記現用ルートから前記予備ルートに切り替えてパケットを出力することを特徴とする。
【００１４】
特に、外部からの切替指示がない場合は、前記送信側の伝送装置では、前記番号が付与されたパケットを前記現用ルートまたは前記予備ルートのいずれか一方に出力し、前記受信側の伝送装置では、前記現用ルートまたは前記予備ルートに挿入する遅延を零にすることを特徴とする。
【００１５】
また、前記受信側の伝送装置では、前記現用ルートに前記測定した遅延量分の遅延を挿入する時或いは前記切替後に前記予備ルートに挿入された前記遅延を零にする時に段階的に遅延量を変化させることを特徴とする。
【発明の効果】
【００１６】
本発明に係るパケット伝送システムおよびパケット伝送装置並びに無瞬断切替方法は、通常運用時の伝送遅延が無く、経路切り替え時の揺らぎやパケット順序の逆転などを防止し、更に予備ルートの伝送帯域を占有することなく、無瞬断で経路切り替えを行うことができる。
【図面の簡単な説明】
【００１７】
【図１】本実施形態に係るパケット伝送システム１００の構成例を示す図である。
【図２】本実施形態に係るＮｏｄｅ２００の構成例を示す図である。
【図３】ＮｏｄｅＡからＮｏｄｅＺへのパケット送信時の構成例を示す図である。
【図４】パケット伝送システム１００における計画無瞬断切替の様子を示す図である。
【図５】早着系から後着系に切り替えるときのパケットの様子を示す図である。
【図６】後着系から早着系に切り替えるときのパケットの様子を示す図である。
【図７】遅延挿入および遅延削除における遅延量の制御例を示す図である。
【図８】本実施形態に係るパケット伝送システム１００における切替処理を示すフローチャートである。
【発明を実施するための形態】
【００１８】
以下、本発明に係る「パケット伝送システムおよびパケット伝送装置並びに無瞬断切替方法」の実施形態について詳しく説明する。
【００１９】
［パケット伝送システム１００の構成例］
図１は本実施形態に係るパケット伝送システム１００の構成例を示す図である。図１において、パケット伝送システム１００は、送信側の伝送装置（ＮｏｄｅＡ）と、受信側の伝送装置（ＮｏｄｅＺ）とがネットワーク１０３を介して接続され、現用ルート１０３ａと予備ルート１０３ｂの２つの経路を有している。また、ＮｏｄｅＡおよびＮｏｄｅＺは、それぞれクライアント側のネットワークやルータなどの伝送装置に接続されている。
【００２０】
図１において、ＮｏｄｅＡの送信部２０１ａは、クライアント側から入力するパケットを現用ルート１０３ａおよび予備ルート１０３ｂのいずれか一方または両方を介してネットワーク１０３側に送信する。一方、ＮｏｄｅＺの受信部２０２ｚは、現用ルート１０３ａおよび予備ルート１０３ｂのいずれか一方または両方を介してネットワーク側から受信するパケットをクライアント側に出力する。
【００２１】
ここで、図１では、ＮｏｄｅＡが送信側でＮｏｄｅＺが受信側の場合の例を示しているが、後で説明するように、ＮｏｄｅＺが送信側でＮｏｄｅＡが受信側の場合も同様である。そして、クライアント側の信号を中継するＮｏｄｅＡとＮｏｄｅＺの間はプロテクション区間として、クライアントが通信するパケットを無瞬断で伝送することが求められている。また、ＮｏｄｅＡとＮｏｄｅＺは、監視制御網などを介して監視制御装置２０４に接続され、監視制御信号２０５を送受信する。そして、監視制御装置２０４側では、各装置状態の監視や制御がオペレータによって行われている。例えばＮｏｄｅＡに故障が発生した場合、ＮｏｄｅＡから監視制御装置２０４に故障警報が発報される。また、本実施形態に係るパケット伝送システム１００では、監視制御装置２０４から無瞬断でのルート切替指示（計画無瞬断切替指示）がＮｏｄｅＡおよびＮｏｄｅＺに出力されると、ＮｏｄｅＡとＮｏｄｅＺの間のルートが無瞬断で切り替えられる。ここで、計画無瞬断切替とは、故障時の無瞬断切替とは異なり、工事や保守点検などのために一時的に現用系から予備系にルートを切り替えるもので、予め計画した日時に監視制御装置２０４を操作するオペレータによって行われる。
【００２２】
次に、ＮｏｄｅＡおよびＮｏｄｅＺの構成について説明する。図２は、ＮｏｄｅＡおよびＮｏｄｅＺに共通の伝送装置（Ｎｏｄｅ２００）の構成例を示している。Ｎｏｄｅ２００は、送信部２０１と、受信部２０２と、制御部２０３とを有する。尚、送信部２０１および受信部２０２は、図１のＮｏｄｅＡの送信部２０１ａおよび受信部２０２ｚと同じ機能ブロックを示している。ここで、本実施形態の説明において、同じ機能ブロックであってもＮｏｄｅＡの機能ブロックを示す場合はアルファベット”ａ”、ＮｏｄｅＺの機能ブロックを示す場合はアルファベット”ｚ”をそれぞれ符号に付加して表記する。例えば制御部２０３は、ＮｏｄｅＡでは制御部２０３ａ、ＮｏｄｅＺでは制御部２０３ｚとそれぞれ表記する。その他のブロックについても同様である。また、ＮｏｄｅＡおよびＮｏｄｅＺに共通の事項を説明する場合はアルファベットを付加せずに表記する。
【００２３】
送信部２０１は、クライアント側から入力する送信パケットをネットワーク側に形成されたＡ系とＢ系の２つのルートのいずれか一方または両方に送信する。
【００２４】
受信部２０２は、Ａ系とＢ系の２つのルートのいずれか一方または両方を介してネットワーク側から受信するパケットをクライアント側に受信パケットとして出力する。
【００２５】
ここで、Ａ系およびＢ系は、例えば図１の現用ルート１０３ａおよび予備ルート１０３ｂにそれぞれ対応する。
【００２６】
制御部２０３は、送信部２０１および受信部２０２の動作を監視および制御し、監視制御装置２０４との間で故障警報や計画無瞬断切替指示などの監視制御信号２０５を送受信する。
【００２７】
図２において、送信部２０１は、シーケンシャル番号付与部（ＳＮ付与部）２１１と、コピー分岐部２１２とを有する。
【００２８】
ＳＮ付与部２１１は、制御部２０３の指令に応じて、クライアント側から入力する送信パケットをパケット順に番号を付与し、番号情報が格納されたパケットをコピー分岐部２１２に出力する。ここで、ＳＮ付与部２１１で常時、送信パケットにシーケンシャル番号を付与するように制御してもよいし、監視制御装置２０４から計画無瞬断切替指示を受けて計画無瞬断切替を実行中のみ送信パケットにシーケンシャル番号を付与するように制御してもよい。
【００２９】
コピー分岐部２１２は、制御部２０３の指令に応じて、ＳＮ付与部２１１で番号が付与されたパケットをコピーしてＡ系とＢ系とに分岐して出力する（Ｂｒｉｄｇｅと称する）。ここで、制御部２０３は、コピー分岐部２１２がパケットをＡ系に送信するか、Ｂ系に送信するか、或いはＡ系とＢ系の両方に送信するかを制御する。
【００３０】
一方、受信部２０２は、遅延測定部２１３と、遅延挿入部２１４と、フレーム選択部２１５とを有する。
【００３１】
遅延測定部２１３は、制御部２０３の指令に応じて、Ａ系およびＢ系から受信する同じシーケンシャル番号が付与されたパケットの受信時刻の差から遅延量（遅延時間）を測定する。例えば、Ａ系からシーケンシャル番号が”５”（以降、ＳＮ：５と表記する）のパケットを受信してから１秒後にＢ系からＳＮ：５のパケットを受信した場合は遅延量は１秒となる。このようにして、遅延測定部２１３は、Ａ系から受信するパケットとＢ系から受信するパケットの同番号のパケット間で遅延量を測定する。
【００３２】
遅延挿入部２１４は、制御部２０３の指令に応じて、Ａ系から受信するパケットまたはＢ系から受信するパケットの早着側の経路に遅延測定部２１３で測定した遅延量分の遅延を挿入し、フレーム選択部２１５に出力する。例えばＡ系がＢ系より早く同番号のパケットを受信している場合で遅延量が１秒の場合は、Ａ系に１秒分の遅延を挿入する。これにより、Ａ系とＢ系の同番号のパケットの位相を合わせることができる。
【００３３】
フレーム選択部２１５は、制御部２０３の指令に応じて、監視制御装置２０４から指令される計画無瞬断切替指示に基づいて、Ａ系またはＢ系のいずれか一方から受信するパケットに切り替えてクライアント側に出力する。例えば図１の現用ルートがＡ系で予備ルートがＢ系である場合、制御部２０３は、遅延挿入部２１４におけるＡ系とＢ系の同番号パケットの位相合わせが完了後、フレーム選択部２１５によりＡ系からＢ系への切り替えを行う。
【００３４】
以上説明したように、図１に示した本実施形態に係るパケット伝送システム１００におけるＮｏｄｅＡおよびＮｏｄｅＺは、図２のＮｏｄｅ２００のように構成される。図３は、図１に対応する図で、ＮｏｄｅＡは送信部２０１ａと制御部２０３ａの部分、ＮｏｄｅＺは受信部２０２ｚと制御部２０３ｚの部分をそれぞれ描いてあり、ＮｏｄｅＡからＮｏｄｅＺへパケットを送信する場合の構成のみを示してある。尚、以下の説明ではＮｏｄｅＡからＮｏｄｅＺへパケットを送信する場合について説明するが、ＮｏｄｅＺの送信部２０１ｚからＮｏｄｅＡの受信部２０２ａにパケットを送信する場合についても同様に動作するので重複する説明は省略する。
【００３５】
［計画無瞬断切替時の動作］
次に、本実施形態に係るパケット伝送システム１００の計画無瞬断切替時の動作について、図３および図４を用いて説明する。尚、本実施形態に係るパケット伝送システム１００は、予め決めた日時の工事や保守点検などのために、現用ルートから予備ルートに計画的に無瞬断で切り替える（計画無瞬断切替）システムである。一方、故障時に自動的に無瞬断で予備ルートに切り替える既存のシステムの場合、現用系と予備系の両方のルートに同じパケットを常時伝送していなければならず、また切替時の位相を合わせるために早着系に常に遅延を挿入していなければならなかった。このために、現用ルートが早着系である場合、常にパケットに遅延が発生するという問題があった。また、現用ルートと予備ルートの両方のルートに同じパケットを常に送信するので、帯域の使用効率が悪くなるという問題もあった。本実施形態に係るパケット伝送システム１００では、計画的にオペレータによるマニュアル操作でルートを切り替える時だけ、早着系のルートに遅延を挿入するので、早着系のルートが現用ルートである場合でも通常運用時に遅延は発生しない。また、本実施形態に係るパケット伝送システム１００では、通常運用時は予備ルートにパケットを送信しないので、常に予備ルートを確保しておく必要がない。特に複数の現用ルートに対して同じ数の予備ルートを確保しておく必要がなく、いくつかの現用ルートに対して一つの予備ルートを共用することにより、帯域の使用効率を高めることができる。
【００３６】
尚、現用ルートと予備ルート間に遅延が生じる理由は、現用系と予備系が必ずしも同じルートや装置を経由しているとは限らないからである。例えばＡ地点とＢ地点との間でパケット通信する場合、現用ルートがＣ地点経由で、予備ルートがＤ地点経由で伝送されるようなケースでは、現用ルートから受信するパケットと予備ルートから受信するパケットとの間に遅延が発生する。ここで、同時に送信された同じ番号のパケットが他のルートより早く到着するルートを早着系、逆に遅れて到着するルートを後着系と称する。
【００３７】
通常動作時（監視制御装置２０４から計画無瞬断切替指示を受けていない状態）において、図３のＮｏｄｅＡの制御部２０３ａは、クライアント側から入力する送信パケットをＳＮ付与部２１１ａおよびコピー分岐部２１２ａを介してＡ系（現用ルート１０３ａ）からＮｏｄｅＺに送信する。一方、ＮｏｄｅＺの受信部２０２ｚは、Ａ系から受信するパケットを遅延測定部２１３ｚ、遅延挿入部２１４ｚおよびフレーム選択部２１５ｚを介してクライアント側に受信パケットとして出力する。ここで、通常動作時において、遅延測定部２１３ｚおよび遅延挿入部２１４ｚは、特別な動作を行わず、ＮｏｄｅＡから受信するパケットをそのままフレーム選択部２１５ｚに出力し、フレーム選択部２１５ｚはＡ系（現用ルート１０３ａ）から受信するパケットを受信パケットとしてクライアント側に出力するので、仮にＢ系（予備ルート１０３ｂ）から何らかのパケットを受信している場合でも現用ルート１０３ａからのみ受信するパケットを選択してクライアント側に出力する。
【００３８】
このように、通常運用時においては、現用ルート１０３ａを介してＮｏｄｅＡからＮｏｄｅＺにパケットが送信され、予備ルート１０３ｂでは送信されない。この様子を図４（ａ）に示す。
【００３９】
ここで、本実施形態では説明がわかり易いように、通常動作時にＳＮ付与部２１１ａはシーケンシャル番号を付与しないものとして説明するが、常にシーケンシャル番号を付与してもよい。尚、シーケンシャル番号の発生は、例えば所定ビット長のカウンタを用いて、パケットを送信する毎にカウントアップする。この場合、カウンタの最大値までカウントアップすると再び０または１にリセットしてカウントを開始する。
【００４０】
そして、図３において、ＮｏｄｅＡの制御部２０３ａは、監視制御装置２０４から計画無瞬断切替指示の監視制御信号２０５を受けると、ＳＮ付与部２１１ａにシーケンシャル番号を付与するよう指令する（常時、シーケンシャル番号を付与する場合は不要）。さらに、制御部２０３ａは、コピー分岐部２１２ａにＳＮ付与部２１１ａが出力するパケットをＡ系とＢ系の両方に送信するよう指令する。ＮｏｄｅＺの制御部２０３ｚは、Ａ系およびＢ系から受信する同番号のパケットの遅延量を測定するよう遅延測定部２１３ｚに指令し、測定した遅延量分だけ早着系に遅延を挿入するように遅延挿入部２１４ｚに指令する。尚、この時点では、フレーム選択部２１５ｚは現用ルート１０３ａのＡ系から受信するパケットをクライアント側に出力している。この様子を図４（ｂ）に示す。
【００４１】
そして、ＮｏｄｅＺの制御部２０３ｚは、遅延挿入部２１４ｚがフレーム選択部２１５ｚに出力するＡ系とＢ系の同番号のパケットの位相が合った時に、フレーム選択部２１５ｚにＡ系（現用ルート１０３ａ）からＢ系（予備ルート１０３ｂ）への切り替えを指令し、フレーム選択部２１５ｚは遅延挿入部２１４ｚが出力するＢ系のパケットをクライアント側に出力する。この様子を図４（ｃ）に示す。
【００４２】
そして、ルートの切り替えが完了後に、ＮｏｄｅＡの制御部２０３ａは、ＳＮ付与部２１１ａに送信パケットへのシーケンシャル番号の付与を終了するよう指令する（常時、シーケンシャル番号を付与する場合は不要）。さらに、制御部２０３ａは、コピー分岐部２１２ａにＳＮ付与部２１１ａが出力するパケットをＢ系のみに送信するよう指令する。一方、ＮｏｄｅＺの制御部２０３ｚは、遅延測定部２１３ｚおよび遅延挿入部２１４ｚに対して、Ｂ系（予備ルート１０３ｂ）から受信するパケットに遅延が挿入されている場合は、これを削除してフレーム選択部２１５ｚに出力するよう指令する。さらに、制御部２０３ｚは、フレーム選択部２１５ｚに対して、Ｂ系のパケットを受信パケットとしてクライアント側に出力するよう指令する。
【００４３】
このようにして、現用ルート１０３ａから予備ルート１０３ｂへ切り替え後は、予備ルート１０３ｂを介してＮｏｄｅＡからＮｏｄｅＺにパケットが送信され、現用ルート１０３ａで受信するパケットは送信されない。この様子を図４（ｄ）に示す。
【００４４】
［早着系から後着系に切り替える場合］
次に、早着系から後着系に切り替える場合の動作について詳しく説明する。ここでは、現用ルート１０３ａが早着系、予備ルート１０３ｂが後着系とする。
【００４５】
図５（ａ）は、監視制御装置２０４から計画無瞬断切替指示が発行された時の様子を示している。図５（ａ）において、送信部２０１のＳＮ付与部２１１は、クライアント側から入力するパケットにシーケンシャル番号を付与し、コピー分岐部２１２は、現用ルート１０３ａおよび予備ルート１０３ｂの両方から送信する。そして、受信側のフレーム選択部２１５で両方の経路から受信するパケットのうち現用ルート１０３ａから受信するパケットを選択してクライアント側に出力する。ここで、遅延測定部２１３は、例えば現用ルート１０３ａでシーケンシャル番号：５（以降、ＳＮ：５と表記する）のパケットが受信された時に予備ルート１０３ｂではＳＮ：２のパケットが受信されているので、３パケット分の遅延時間を遅延量として測定する。
【００４６】
そして、遅延挿入部２１４は、早着系の現用ルート１０３ａから受信するパケットを内部のバッファに一時的に蓄積し、バッファから溢れたパケットをフレーム選択部２１５に出力することにより遅延を挿入する。この時、遅延挿入部２１４は、バッファの深さを変えることにより、遅延時間を制御する。例えばバッファの深さを１パケット分にすると、２パケット目が入った時に最初のパケットがフレーム選択部２１５に出力される。次に、バッファの深さを２パケット分にすると、３パケット目が入った時に最初のパケットがフレーム選択部２１５に出力される。このように、バッファの深さを徐々に深くすることにより、フレーム選択部２１５からクライアント側に出力されるパケットの間隔が急に空いてしまうことを防止できる。この様子を図５（ｂ）に示す。図５（ｂ）の例では、早着系のパケットを蓄積するバッファは２パケット分の深さがあり、ＳＮ：７，８の２つパケットが蓄積され、バッファから溢れたＳＮ：６のパケットがフレーム選択部２１５からクライアント側に出力される。この場合、先にクライアント側に出力されているＳＮ：５のパケットから約２パケット分だけ遅延してＳＮ：６のパケットがクライアント側に出力される。
【００４７】
さらに、図５（ｃ）は、バッファの深さを４パケット分にした時の様子を示している。図５（ｃ）の例では、早着系のＳＮ：８，９，１０，１１の４つパケットがバッファに蓄積され、バッファから溢れたＳＮ：７のパケットがフレーム選択部２１５からクライアント側に出力される。この場合、先にクライアント側に出力されているＳＮ：６のパケットから約４パケット分だけ遅延してＳＮ：７のパケットがクライアント側に出力される。
【００４８】
このようにして、遅延挿入部２１４は、遅延測定部２１３が測定した遅延量になるまで徐々に早着系の受信パケットを遅延させてフレーム選択部２１５に出力する。そして、遅延量分だけ遅延させると、早着系と後着系のパケットの位相が合うので、フレーム選択部２１５は早着系の受信パケットから後着系の受信パケットに切り替えてクライアント側に出力する。例えば図５（ｃ）の時点で早着系および後着系からフレーム選択部２１５に入力される次のパケットは両系共にＳＮ：８なので、フレーム選択部２１５は早着系（現用ルート１０３ａ）から後着系（予備ルート１０３ｂ）の受信パケットに切り替え、ＳＮ：８のパケットをクライアント側に出力する（図５（ｄ））。
【００４９】
ＳＮ：９以降のパケットは、図５（ｅ）に示すように、Ｂ系（予備ルート１０３ｂ）から受信するパケットが選択されてクライアント側に出力される。
【００５０】
そして、切替完了後、受信側の制御部２０３は計画無瞬断切替完了の通知を監視制御装置２０４に出力する。さらに、監視制御装置２０４は、送信側の制御部２０３に計画無瞬断切替完了を通知し、これを受けた送信側の制御部２０３は、Ａ系とＢ系の両方にパケットを送信していたコピー分岐部２１２に指令して、Ａ系（現用ルート１０３ａ）への送信を停止させ、Ｂ系（予備ルート１０３ｂ）からのみパケットを送信する。
【００５１】
尚、上記の説明では、バッファの深さを変えて遅延時間を制御するようにしたが、バッファの深さではなくパケットをバッファに蓄えておく時間を変えるようにしても構わない。例えば、ＳＮ：７のパケットは１ｍｓｅｃ遅らせてクライアント側に出力し、次のＳＮ：８のパケットは２ｍｓｅｃ遅らせてクライアント側に出力し、同様にＳＮ：９のパケットは３ｍｓｅｃ、ＳＮ：１０のパケットは４ｍｓｅｃのように、バッファに蓄えておく時間を少しずつ長くしていき、遅延測定部２１３が測定した遅延量と同じ時間になるまで繰り返す。
【００５２】
また、説明がわかり易いように、位相が合った時点で直ぐにルートを切り替えるようにしたが、位相が合った後、動作が安定するまで暫く待ってからルートを切り替えるようにしても構わない。
【００５３】
このように、早着系（現用ルート１０３ａ）から後着系（予備ルート１０３ｂ）に切り替える場合、クライアント側に出力する現用ルート１０３ａのパケット間隔を徐々に広げていくので、急激にパケット間隔が空いてしまうことを防止できる。尚、急激にパケット間隔が空いてしまった場合、例えば定期的に受信するパケットが受信できないなどの理由により、クライアント側のシステムによってはエラーになってしまうという問題が生じる。
【００５４】
［後着系から早着系に切り替える場合］
次に、後着系から早着系に切り替える場合の動作について詳しく説明する。ここでは、現用ルート１０３ａが後着系、予備ルート１０３ｂが早着系とする。
【００５５】
図６（ａ）は、監視制御装置２０４から計画無瞬断切替指示が発行された時のパケットの流れを示している。計画無瞬断切替指示が発行されると、送信部２０１のＳＮ付与部２１１はパケットにシーケンシャル番号を付与し、コピー分岐部２１２は現用ルート１０３ａおよび予備ルート１０３ｂの両方から送信する。そして、受信側のフレーム選択部２１５で両方の経路から受信するパケットのうち現用ルート１０３ａから受信するパケットを選択してクライアント側に出力する。ここで、遅延測定部２１３は、例えば現用ルート１０３ａでＳＮ：２のパケットが受信された時に予備ルート１０３ｂではＳＮ：５のパケットが受信されているので、３パケット分の遅延時間を遅延量として測定する。
【００５６】
そして、遅延挿入部２１４は、早着系の予備ルート１０３ｂから受信するパケットを内部のバッファに一時的に蓄積する。この時、バッファに蓄積される早着系（予備ルート１０３ｂ）のパケットのＳＮと後着系（現用ルート１０３ａ）のパケットのＳＮとが一致する（位相が合う）まで、早着系のパケットをバッファに蓄積する。尚、ここでは、パケットをクライアント側に流していない予備ルートから受信するパケットなので先の現用ルートのように徐々にバッファリングする必要はない。図６（ａ）の例では、後着系のＳＮ：５のパケットが来るまで早着系のＳＮ：５のパケットからＳＮ：８のパケットまでがバッファに蓄積される。この様子を図６（ｂ）に示す。図６（ｂ）では、バッファに蓄積された早着系のＳＮ：５のパケットと後着系から受信するＳＮ：５のパケットとの位相が合っているので、この時点でフレーム選択部２１５は、後着系（現用ルート１０３ａ）から早着系（予備ルート１０３ｂ）に切り替え、予備ルート１０３ｂのＳＮ：５のパケットをクライアント側に出力する（図６（ｃ））。尚、後着系のＳＮ：５のパケットは廃棄される。
【００５７】
このようにして、遅延挿入部２１４は、遅延測定部２１３が測定した遅延量になるまで早着系の受信パケットをバッファに蓄積して位相合わせを行い、フレーム選択部２１５は後着系から早着系の受信パケットに切り替えてクライアント側に出力する。
【００５８】
ＳＮ：６以降のパケットについても、フレーム選択部２１５は、Ｂ系（予備ルート１０３ｂ）から受信するパケットを選択してクライアント側に出力する。
【００５９】
ここで、遅延測定部２１３のバッファに蓄積されているパケットを一気にクライアント側に送出すると、バースト的に連続したパケットがクライアント側に流れることになり、クライアント側の装置で処理が間に合わなかったり、受信バッファが溢れるなどの問題が発生する恐れがある。そこで、本実施形態に係るパケット伝送システム１００では、制御部２０３は、バッファに蓄積されているパケットを徐々にクライアント側に出力するよう制御する。
【００６０】
例えば図６（ｄ）は、ＳＮ：５からＳＮ：１２までの早着系のパケットの流れを示した図で、上段は送信側から受信する本来のパケット間隔を示し、ほぼ等間隔にクライアント側に出力されている。中段は従来の例を示し、バッファに蓄積されていたパケット（ＳＮ：５からＳＮ：８までのパケット）は一気にクライアント側に出力されている。下段は本実施形態の例を示し、バッファの遅延時間を徐々に減少させながらクライアント側にパケットを出力して、ＳＮ：１２のパケットで本来のパケット間隔に戻っている。
【００６１】
このように本実施形態に係るパケット伝送システム１００では、バースト的にクライアント側にパケットが出力されるのを防ぐことができる。
【００６２】
尚、図６（ｃ）で後着系（現用ルート１０３ａ）から早着系（予備ルート１０３ｂ）への切り替えを完了すると、受信側の制御部２０３は計画無瞬断切替完了の通知を監視制御装置２０４に出力する。そして、監視制御装置２０４は、計画無瞬断切替完了の通知を送信側の制御部２０３に出力し、これを受けた送信側の制御部２０３は、Ａ系とＢ系の両方にパケットを送信していたコピー分岐部２１２に指令して、Ａ系（現用ルート１０３ａ）への送信を停止させ、Ｂ系（予備ルート１０３ｂ）からのみパケットを送信する。
【００６３】
また、上記の説明では、位相が合った時点で直ぐにルートを切り替えるようにしたが、位相が合った後、動作が安定するまで暫く待ってからルートを切り替えるようにしても構わない。
【００６４】
このようにして、現用ルート１０３ａから予備ルート１０３ｂへの無瞬断での切り替えを終了する。
【００６５】
以上説明したように、本実施形態に係るパケット伝送システム１００では、計画的にルートを切り替える時だけ遅延を挿入するので、通常運用時に遅延が発生しない。また、通常運用時は予備ルートにパケットを送信しないので、常に予備ルートを確保しておく必要がなく、また、複数の現用ルートに対して同じ数の予備ルートを確保しておく必要もなく、帯域の使用効率を高めることができる。さらに、位相合わせの際にバッファに蓄積されたパケットをバースト的にクライアント側に出力するのではなく、挿入された遅延時間が徐々に零になるように制御するので揺らぎが抑制され、クライアント側におけるバッファ溢れなどの問題を回避できる。また、先着優先方式という方法が知られているが、この方式の場合、ルート切替時に位相がずれていると、パケットの逆転や重複が生じる場合がある。これに対して、本実施形態に係るパケット伝送システム１００では、位相合わせを行った後でルートの切り替えを行うので、パケットの逆転や重複が生じることはない。
【００６６】
尚、実際の伝送装置では、パケット送受信処理を行うために多少のバッファリングを行っているので、パケットの遅延は完全には零にはならないが、本実施形態の説明ではこのような処理の遅延などは無いものとする。
【００６７】
［遅延量の調整方法］
次に、パケットを遅延させる場合の遅延量の調整方法について説明する。本実施形態に係るパケット伝送システム１００では、早着系のパケットを遅延させるために受信したパケットをバッファに蓄積するが、現用ルート１０３ａが早着系の場合、クライアント側に出力するパケットの間隔が急に空かないように徐々にバッファに蓄積して遅延させる。図７（ａ）は、遅延挿入開始から遅延挿入終了までの挿入遅延量の変化を示したグラフである。図７（ａ）のグラフにおいて、通常動作時は挿入遅延量が０なのでパケットは遅延なく伝送され、計画無瞬断切替指示が発行されると遅延挿入部２１４は遅延の挿入を開始し、徐々に挿入遅延量を増加させて、遅延測定部２１３が測定した遅延量になった時点で挿入遅延量の増加を停止する。挿入遅延量は、グラフ３０１に示すように、時間に比例して挿入遅延量を増加させても構わないが、グラフ３０２に示すように、段階的に挿入遅延量を変化させても構わない。先に説明したように、バッファの深さを１パケット単位で深くすることによって挿入遅延量を調整する場合は、グラフ３０２に示すように、時間に対して段階的に挿入遅延量が変化する。尚、切替先の予備ルート１０３ｂが早着系の場合、バッファに蓄積するパケットはクライアント側に出力されないので、位相が合うまで一気にバッファに蓄積しても構わない。
【００６８】
次に、図７（ｂ）は、無瞬断切り替え後に、バッファに蓄積されたパケットをクライアント側に出力する時に、早着系に挿入された遅延を徐々に零に戻す場合の遅延削除開始から遅延削除終了までの挿入遅延量の変化を示したグラフである。図７（ｂ）のグラフにおいて、切り替え直後の挿入遅延量は遅延測定部２１３が測定した遅延量になっている。そして、無瞬断切り替えが完了して、バッファに蓄積されているパケットをクライアント側に出力する時に、徐々に挿入遅延量が零になるように制御し、挿入遅延量が零になった時点で挿入削除を停止する。挿入遅延量は、グラフ３０３に示すように、時間に比例して挿入遅延量を減少させても構わないが、グラフ３０４に示すように、段階的に挿入遅延量を変化させても構わない。
【００６９】
尚、切替先の予備ルート１０３ｂが後着系の場合は、切替後の予備ルート１０３ｂに遅延が挿入されていないので、切り替え後の遅延削除は不要である。
【００７０】
［計画無瞬断切替処理］
次に、計画無瞬断切替処理について、図８のフローチャートを用いて説明する。尚、図８のフローチャートは、図３において、監視制御装置２０４からＮｏｄｅＡおよびＮｏｄｅＺに対して計画無瞬断切替指示が発行された時の送信側のＮｏｄｅＡおよび受信側のＮｏｄｅＺで行われる処理を示している。
【００７１】
（ステップＳ１０１）送信側のＮｏｄｅＡでは、送信部２０１ａのＳＮ付与部２１１ａがクライアント側から入力する送信パケットにシーケンシャル番号を付与し、コピー分岐部２１２ａでシーケンシャル番号が付与された送信パケットをコピーして現用ルート１０３ａおよび予備ルート１０３ｂの両方の経路に送信する。
【００７２】
（ステップＳ１０２）受信側のＮｏｄｅＺでは、受信部２０２ｚの遅延測定部２１３ｚが現用ルート１０３ａおよび予備ルート１０３ｂの両方の経路から受信する同じシーケンシャル番号のパケットの遅延量を測定する。
【００７３】
（ステップＳ１０３）受信部２０２ｚの遅延挿入部２１４ｚは、現用ルート１０３ａと予備ルート１０３ｂのどちらが早着系かを判別する。早着系の判別方法として、例えば遅延測定部２１３ｚが遅延量を測定する時に、現用ルート１０３ａでパケットを受信した時刻から予備ルート１０３ｂで同じＳＮのパケットを受信した時刻を減算した値が正であるか負であるかを判別することにより、早着系を知ることができる。この場合、減算値が正の時は予備ルート１０３ｂが早着系、減算値が負の時は現用ルート１０３ａが早着系であると判別できる。
【００７４】
そして、予備ルート１０３ｂが早着系の場合はステップＳ１０４に進み、現用ルート１０３ａが早着系の場合はステップＳ１０５に進む。
【００７５】
（ステップＳ１０４）受信部２０２ｚの遅延挿入部２１４ｚは、予備ルート１０３ｂに遅延を挿入して現用ルート１０３ａに位相を合わせる。
【００７６】
（ステップＳ１０５）受信部２０２ｚの遅延挿入部２１４ｚは、現用ルート１０３ａに遅延を挿入して予備ルート１０３ｂに位相を合わせる。この時、図７（ａ）で説明したように、段階的に遅延を挿入して位相合わせを行う。
【００７７】
（ステップＳ１０６）受信部２０２ｚのフレーム選択部２１５ｚは、現用ルート１０３ａから予備ルート１０３ｂに切り替えて、予備ルート１０３ｂから受信するパケットをクライアント側に出力する。
【００７８】
ここで、受信部２０２ｚの制御部２０３ｚは、監視制御装置２０４に切替完了通知を送信する。そして、切替完了通知を受信した監視制御装置２０４は、送信側のＮｏｄｅＡに切替完了通知を送信する。これを受けて、ＮｏｄｅＡは、受信側のＮｏｄｅＺで経路の切り替えを完了したことを認識する。
【００７９】
（ステップＳ１０７）監視制御装置２０４から切替完了通知を受け取った送信側のＮｏｄｅＡにおいて、送信部２０１ａのコピー分岐部２１２ａは、現用ルート１０３ａへの送信を停止して、予備ルート１０３ｂのみにパケットを送信する。また、計画無瞬断切替指示に対する処理を行っている間だけシーケンシャル番号の付与を行う場合、ＳＮ付与部２１１ａはシーケンシャル番号の付与を停止する。尚、常時、シーケンシャル番号を付与する場合、ＳＮ付与部２１１ａの動作は継続する。
【００８０】
（ステップＳ１０８）切り替えが完了した受信側のＮｏｄｅＺにおいて、受信部２０２ｚの遅延挿入部２１４ｚは、遅延を挿入した経路が切り替え先の予備ルート１０３ｂであるか否かを判別し、予備ルート１０３ｂである場合はステップＳ１０９に進み、予備ルート１０３ｂでない場合は処理を終了する。
【００８１】
（ステップＳ１０９）受信部２０２ｚの遅延挿入部２１４ｚは、切り替え先の予備ルート１０３ｂに挿入した遅延を除去する。この時、図７（ｂ）で説明したように、段階的に遅延を削除して全ての遅延を取り除く。
【００８２】
このように、本実施形態に係るパケット伝送システム１００では、通常運用時の伝送遅延が無く、経路切り替え時の揺らぎやパケット順序の逆転などを防止し、更に予備ルートの伝送帯域を占有することなく、無瞬断で経路の切り替えを行うことができる。
【００８３】
尚、本実施形態では、「計画無瞬断切替」を行うことを前提として説明したが、故障時の切替に対応できるように、送信部２０１のＳＮ付与部２１１は常に送信パケットにシーケンシャル番号を付与し、コピー分岐部２１２は現用ルート１０３ａと予備ルート１０３ｂの両方にパケットを送信するようにしてもよい。
【００８４】
以上、説明してきたように、本発明に係るパケット伝送システムおよびパケット伝送装置並びに無瞬断切替方法は、以下のような効果が得られる。
【００８５】
従来の故障時無瞬断切替では、常時、両方の経路にパケットを流しておくため、選択していない経路の伝送帯域を占有し、帯域の使用効率が悪くなるという問題があった。これに対して、本実施形態に係るパケット伝送システム１００では、無瞬断切替を実施しない通常運用時に、予備ルート１０３ｂへパケットを送信しないことにより、使用していない予備ルート１０３ｂの伝送帯域を占有することなく、伝送路の帯域効率を上げることができる。
【００８６】
また、従来の故障時無瞬断切替では、位相を合わせるために予めどちらか一方のルートに遅延を常時挿入しておかなければならなかった。この方法をそのまま計画的な無瞬断切替に用いた場合、常時、遅延が挿入されているためパケットの伝送遅延が問題であった。これに対して、本実施形態に係るパケット伝送システム１００では、計画無瞬断切替を実施しない通常運用時には、位相を合わせるための遅延を加えないので、伝送遅延を小さくすることができる。
【００８７】
さらに、従来の先着優先方式では、経路切替時にクライアント側に出力するパケットの間隔が２つの経路間の遅延差分だけ空いたり、逆にバースト的に連続してしまうなどの遅延揺らぎが発生してしまうという問題があった。これに対して、本実施形態に係るパケット伝送システム１００では、計画無瞬断切替を実施する時に、遅延量を少しずつ変化させるので、クライアント側に出力するパケットの間隔が経路間の遅延差分だけ空いたり、逆にバースト的に連続してしまうような遅延揺らぎが発生しない。
【００８８】
また、先着優先方式の場合、経路切替時にパケットの順序が逆転する場合があり、上位層の通信プロトコルの処理によってはパケット廃棄やパケット再送処理が発生する等、無瞬断で切り替える本来の意味がなくなってしまうという問題があった。これに対して、本実施形態に係るパケット伝送システム１００では、切替時以外は現用ルートまたは予備ルートのいずれかの経路にしかパケットを送信せず、位相合わせを行った後で切り替えを行うのでパケットの順序が逆転することはない。
【００８９】
尚、本発明に係るパケット伝送システムおよびパケット伝送装置並びに無瞬断切替方法について、各実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００９０】
１００・・・パケット伝送システム
１０３・・・ネットワーク
１０３ａ・・・現用ルート
１０３ｂ・・・予備ルート
２００，Ａ，Ｚ・・・Ｎｏｄｅ
２０１・・・送信部
２０２・・・受信部
２０３・・・制御部
２０４・・・監視制御装置
２０５・・・監視制御信号
２１１・・・ＳＮ付与部
２１２・・・コピー分岐部
２１３・・・遅延測定部
２１４・・・遅延挿入部
２１５・・・フレーム選択部
【図１】
2013005210.tif 000003
【図２】
2013005210.tif 000004
【図３】
2013005210.tif 000005
【図４】
2013005210.tif 000006
【図５】
2013005210.tif 000007
【図６】
2013005210.tif 000008
【図７】
2013005210.tif 000009
【図８】
2013005210.tif 000010